(57)【要約】【課題】  レーザダイオードにトップパルス、中間バイアス及びラストパルスからなるライトストラテジを供給する光ディスクの記録方法において、レーザ出力のライトストラテジへの追従性を改善することにある。【解決手段】レーザダイオードにパルスを供給してレザーダイオードの出力光によりディスクに情報を記録する光ディスク装置であって、レーザダイオードを有する光ピックアップ２と、レーザダイオードに電流を供給する駆動手段４であって、第１電流値Ｉ１をレーザダイオードに供給するトップパルス期間と、トップパルス期間後に第１電流値Ｉ１よりも低い第２電流値Ｉ２をレーザダイオードに供給する中間バイアス期間と、中間バイアス期間後にレーザダイオードが未発光状態になる閾値Ｉｔｈ以下に電流値を低下させる第１未発光期間と、第１未発光期間後に第１電流値Ｉ１をレーザダイオードに供給するラストパルス期間とを実行する駆動手段４と、を備えることを特徴とする光ディスク装置。【選択図】図２
2006134422.tif 000002
【特許請求の範囲】
【請求項１】
レーザダイオードにパルスを供給してレザーダイオードの出力光によりディスクに情報
を記録する光ディスク装置であって、
レーザダイオードを有する光ピックアップと、
レーザダイオードに電流を供給する駆動手段であって、第１電流値を前記レーザダイオ
ードに供給するファーストパルス期間と、前記ファーストパルス期間後に前記レーザダイ
オードが未発光状態になる閾値以下に電流値を低下させる第１未発光期間と、前記ファー
ストパルス期間後に前記第１電流値よりも低い第２電流値を前記レーザダイオードに供給
する中間バイアス期間と、前記中間バイアス期間後に前記レーザダイオードが未発光状態
になる閾値以下に電流値を低下させる第２未発光期間と、前記第２未発光期間後に前記第
１電流値を前記レーザダイオードに供給するラストパルス期間とを実行する駆動手段と、
を備えることを特徴とする光ディスク装置。
【請求項２】
レーザダイオードにパルスを供給してレザーダイオードの出力光によりディスクに情報
を記録する光ディスク装置であって、
レーザダイオードを有する光ピックアップと、
レーザダイオードに電流を供給する駆動手段であって、第１電流値を前記レーザダイオ
ードに供給するファーストパルス期間と、前記ファーストパルス期間後に前記第１電流値
よりも低い第２電流値を前記レーザダイオードに供給する中間バイアス期間と、前記中間
バイアス期間後に前記レーザダイオードが未発光状態になる閾値以下に電流値を低下させ
る第１未発光期間と、前記第１未発光期間後に前記第１電流値を前記レーザダイオードに
供給するラストパルス期間とを実行する駆動手段と、
を備えることを特徴とする光ディスク装置。
【請求項３】
前記駆動手段は、前記ファーストパルス期間と前記中間バイアス期間との間において、
前記レーザダイオードが未発光状態になる閾値以下に電流値を低下させる第２未発光期間
をさらに実行することを特徴とする、請求項２に記載の光ディスク装置。
【発明の詳細な説明】
【技術分野】
【０００１】
本発明は、光ディスク装置、特に、レーザダイオードにパルスを供給してレザーダイオ
ードの出力光によりディスクに情報を記録する光ディスク装置に関する。
【背景技術】
【０００２】
特許文献１には、ファーストパルス、中間バイアスパルス及びラストパルスからなる記
録パルスをレーザダイオードに供給してレーザ光により情報を記録する情報記録装置が記
載されている。この情報記録装置では、ディスク上のマーク間のスペースが短い場合に、
残留熱によりマークの長さが目的の長さよりも延びるのを防止するために、隣接するパル
スのエッジが離れるように制御している。具体的には、第１のマークを記録するための記
録パルスのラストパルスを早め、一方、次の第２のマークを記録するための記録パルスの
ファーストパルスを遅らせる。このようにすれば、第１のマーク用のラストパルスの終了
時から第２のマーク用のファーストパルスの開始時までの時間が長くなり、この期間には
レーザ光が停止されるので、記録面が冷却され残留熱が放熱される。このようにして、特
許文献１の情報記録装置は、マーク間距離が短い場合の残留熱による影響を防止している
。
【０００３】
特許文献２には、レーザダイオードに供給する１記録パルスの電流に対応して出力され
る光パルスの立ち上がり及び立ち下がり特性を改善するために、記録パルス間の電流値を
閾値以下に制御する光ディスク装置が記載されている。この光ディスク装置では、記録パ
ルスが立ち上がる前の電流値及び記録パルスが立ち下がった後の電流値を、レーザダイオ
ードが未発光になる閾値以下に制御し、閾値以下の電流と閾値以上の電流との間で電流値
を急速に変化させることにより、レーザ光が速やかに立ち上がり、速やかに立ち下がるよ
うにしている。これにより、特許文献２の光ディスク装置では、低速から高速まで同一の
ライトストラテジとすることができＣＡＶ(Constant Angular Velocity)の連続記録を可
能にしている。
【特許文献１】特開２００３−８５７５３号公報（段落１３２〜１３５，第１７図）
【特許文献２】特開２００２−１２３９６５号公報
【発明の開示】
【発明が解決しようとする課題】
【０００４】
しかしながら、特許文献１のように、ファーストパルス、中間バイアス及びラストパル
スからなる記録パルスをライトストラテジに用いる場合には、中間バイアスからラストパ
ルスに立ち上げる際に、光パルスの立ち上がりが遅れ、ファーストパルス時の光パルスレ
ベルとラストパルスの光パルスレベルとが一致しない。これは、レーザダイオードの特性
上、中間バイアス電流値で発光している状態から、ラストパルス電流値にレーザパワーを
増加させる場合には、光パルスの立ち上がりが遅いからある。このような場合、ライトス
トラテジ通りのレーザ出力を得ることができず、ライトストラテジへのパラメータの設定
が複雑になる。また、特許文献２には、１記録パルス全体での立ち上がり、立ち下がりを
改善する点が記載されているが、１記録パルス中における光パルスのレベル制御について
は記載されていない。
【０００５】
本発明は、レーザダイオードにファーストパルス、中間バイアス及びラストパルスから
なるライトストラテジを供給する光ディスクの記録方法において、レーザ出力のライトス
トラテジへの追従性を改善することにある。
【課題を解決するための手段】
【０００６】
第１発明に係る光ディスク装置は、レーザダイオードにパルスを供給してレザーダイオ
ードの出力光によりディスクに情報を記録する光ディスク装置であって、レーザダイオー
ドを有する光ピックアップと、レーザダイオードに電流を供給する駆動手段とを備えてい
る。駆動手段は、第１電流値を前記レーザダイオードに供給するファーストパルス期間と
、前記ファーストパルス期間後に前記レーザダイオードが未発光状態になる閾値以下に電
流値を低下させる第１未発光期間と、前記ファーストパルス期間後に前記第１電流値より
も低い第２電流値を前記レーザダイオードに供給する中間バイアス期間と、前記中間バイ
アス期間後に前記レーザダイオードが未発光状態になる閾値以下に電流値を低下させる第
２未発光期間と、前記第２未発光期間後に前記第１電流値を前記レーザダイオードに供給
するラストパルス期間とを実行する。
【０００７】
この光ディスク装置では、１記録パルスがファーストパルス、中間バイアス及びラスト
パルスからなる記録パルスによりレーザダイオードを駆動するが、中間バイアス期間とラ
ストパルス期間との間に第１未発光期間を設けることにより、中間バイアスパルスで発光
していたレーザダイオードを一旦未発光状態とし、未発光状態からラストパルスでレーザ
ダイオードを発光させる。従って、レーザダイオードの緩和振動を利用して、光パルスを
速やかに立ち上げることができる。これにより、光パルスの立ち上がりの遅れが改善され
、レーザ出力がライトストラテジに追従するようになり、ライトストラテジの設定が容易
になる。また、これにより、ファーストパルスとラストパルスのレベルを容易に揃えるこ
とができる。
【０００８】
また、レーザの特性上、発光状態のあるレベルからそれより低いレベルに出力を落とす
場合にも、電流値の低下に発光レベルが追従し難い。したがって、ファーストパルスから
中間バイアスに発光レベルを落とす場合にも、発光レベルの低下が遅れ、レーザ出力がラ
イトストラテジに追従し難い。本発明では、ラストパルス終了時に一旦未発光状態にする
。このとき、レーザは発光状態から未発光状態に変化するので、発光レベルを速やかに落
とすことができる。また、未発光状態から発光状態に戻す場合にも速やかに発光レベルを
変えることができるので、未発光期間から中間バイアスの発光レベルに速やかに遷移する
ことができる。
【０００９】
第２発明に係る光ディスク装置は、レーザダイオードにパルスを供給してレザーダイオ
ードの出力光によりディスクに情報を記録する光ディスク装置であって、レーザダイオー
ドを有する光ピックアップと、レーザダイオードに電流を供給する駆動手段とを備えてい
る。駆動手段は、レーザダイオードに電流を供給する駆動手段であって、第１電流値を前
記レーザダイオードに供給するファーストパルス期間と、前記ファーストパルス期間後に
前記第１電流値よりも低い第２電流値を前記レーザダイオードに供給する中間バイアス期
間と、前記中間バイアス期間後に前記レーザダイオードが未発光状態になる閾値以下に電
流値を低下させる第１未発光期間と、前記第１未発光期間後に前記第１電流値を前記レー
ザダイオードに供給するラストパルス期間とを実行する。
【００１０】
この光ディスク装置では、１記録パルスがファーストパルス、中間バイアス及びラスト
パルスからなる記録パルスによりレーザダイオードを駆動するが、中間バイアス期間とラ
ストパルス期間との間に第１未発光期間を設けることにより、中間バイアスパルスで発光
していたレーザダイオードを一旦未発光状態とし、未発光状態からラストパルスでレ―ザ
ダイオードを発光させる。従って、レーザダイオードの緩和振動を利用して、光パルスを
速やかに立ち上げることができる。これにより、光パルスの立ち上がりの遅れが改善され
、レーザ出力がライトストラテジに追従するようになり、ライトストラテジの設定が容易
になる。また、これにより、ファーストパルスとラストパルスのレベルを容易に揃えるこ
とができる。
【００１１】
第３発明に係る光ディスク装置は、第２発明に係る光ディスク装置において、駆動手段
は、ファーストパルス期間と中間バイアス期間との間において、レーザダイオードが未発
光状態になる閾値以下に電流値を低下させる第２未発光期間をさらに実行することを特徴
とする。
【００１２】
レーザの特性上、発光状態のあるレベルからそれより低いレベルに出力を落とす場合に
も、電流値の低下に発光レベルが追従し難い。したがって、ファーストパルスから中間バ
イアスに発光レベルを落とす場合にも、発光レベルの低下が遅れ、レーザ出力がライトス
トラテジに追従し難い。第２発明によれば、ラストパルス終了時に一旦未発光状態にする
。このとき、レーザは発光状態から未発光状態に変化するので、発光レベルを速やかに落
とすことができる。また、未発光状態から発光状態に戻す場合にも速やかに発光レベルを
変えることができるので、未発光期間から中間バイアスの発光レベルに速やかに遷移する
ことができる。
【発明を実施するための最良の形態】
【００１３】
（１）全体構成
図１は、本実施形態に係る光ディスク装置１の全体構成を概略的に示したものである。
【００１４】
この光ディスク装置１は、光ディスクＤに情報を記録し、光ディスクから情報を再生す
るための装置である。光ディスク、例えば、１回限り記録が可能なＤＶＤ−Ｒ（Digital 
Versatile Disk - Recordable）である。
【００１５】
光ディスク装置１は、光ディスクＤに対して記録ビームを照射する光ピックアップ２と
、光ディスクＤの回転を制御するスピンドルモータ３と、光ディスクＤへの情報の記録を
制御する記録制御部４と、光ディスクＤに既に記録されている情報の再生を制御する再生
制御部５と、スピンドルモータ３の回転を制御するスピンドルサーボ、並びに光ピックア
ップ２の光ディスクＤに対する相対的位置制御であるフォーカスサーボ及びトラッキング
サーボを含む各種サーボ制御を行うためのサーボ制御部６とを備えている。
【００１６】
記録制御部４は、記録信号を受け取り、光ピックアップ２内部のレーザダイオードを駆
動するための駆動信号を生成してレーザダイオードに供給する。
【００１７】
再生制御部５は、光ピックアップ２から出力される読取ＲＦ信号を受け取り、これに対
して所定の復調処理、復号化処理などを施して再生信号を出力する。
【００１８】
サーボ制御部６は、光ピックアップ２からの読取ＲＦ信号を受け取り、これに基づいて
トラッキングエラー信号及びフォーカス信号などのサーボ信号を光ピックアップ２へ供給
するとともに、スピンドルサーボ信号をスピンドルモータ３に供給する。これにより、ト
ラッキングサーボ、フォーカスサーボ、スピンドルサーボの各種サーボ処理が実行される
。
【００１９】
（２）ライトストラテジ
図２（ｂ）は、本実施形態に係るライトストラテジと、レーザダイオードの出力波形で
ある。
【００２０】
ライトストラテジは、記録制御部４からレーザダイオードに出力する駆動信号の波形で
ある。この駆動信号の波形は、レーザダイオードに入力する電流の波形を示している。レ
ーザダイオードの出力波形は、レーザダイオードから出力されるレーザ光の強度（電力）
の波形である。
【００２１】
１０，１６はライトストラテジのファーストパルス、１１，１７はライトストラテジの
中間バイアスパルス、１２，１８はライトストラテジのラストパルス、１３，１９はレー
ザ出力のファーストパルス、１４，２０はレーザ出力の中間バイアスパルス、１５，２１
はレーザ出力のラストパルスである。Ｉ１、Ｉ２、Ｉ３、Ｉｔｈは電流値であり、Ｉ３≦
＜Ｉｔｈ＜Ｉ２＜Ｉ１である。
【００２２】
本実施形態のライトストラテジでは、図２（ｂ）に示すように、ファーストパルス１６
で駆動電流値をＩ１にし、所定時間Ｉ１で維持した後、ファーストパルス１６をＩ３まで
低下させる。Ｉ３は、レーザダイオードが未発光になる閾値Ｉｔｈ以下の電流値である。
このようにファーストパルス１６後に閾値Ｉｔｈ以下の電流値に低下させるライトストラ
テジでは、レーザダイオードを発光状態から未発光状態に変化させるため、図２（ｂ）に
示すように、レーザダイオードの出力が速やかに追従する。
【００２３】
電流値をＩ３に維持する未発光期間終了後には、閾値Ｉｔｈ以下の電流値Ｉ３から中間
バイアスパルス１７として電流値Ｉ２まで立ち上げる。ここでも、レーザダイオードが未
発光状態から発光状態になるように、電流を急速に増加させるので、レーザダイオードが
緩和振動を生じ、レーザ出力が急速に立ち上がり、駆動電流の変化にレーザダイオード出
力が追従する。
【００２４】
中間バイアスパルス１７として所定の期間電流値Ｉ２に保持した後、電流値をＩ２から
閾値以下のＩ３に低下させる。ここでも、レーザダイオードが発光状態である電流値Ｉ２
から未発光状態の電流値Ｉ３に急速に電流を低下させるため、図２（ｂ）に示すように、
レーザダイオード出力が速やかに追従する。
【００２５】
電流値をＩ３に維持する未発光期間終了後には、電流値をＩ３からＩ１まで増加させて
ラストパルス１８を立ち上げる。ここでも、レーザダイオードが未発光状態から発光状態
になるように、駆動電流を急速に増加させるので、レーザダイオードが緩和振動を生じ、
レーザ出力が急速に立ち上がり、駆動電流の変化にレーザダイオード出力が追従する。
【００２６】
図２（ａ）は、従来のライトストラテジと、レーザダイオードの出力波形である。
【００２７】
同図に示すように、従来のライトストラテジでは、ファーストパルス１０から中間バイ
アスパルス１１に移行する際に、電流値Ｉ１から電流値Ｉ２に直接移行している。この場
合、レーザダイオードは、出力状態のまま比較的小さな減少幅でＩ１からＩ２までパワー
ダウンするので、ライトストラテジをＩ１からＩ２に変化させたとしても、同図に示すよ
うに、レーザダイオードの出力が追従することができず、レーザ出力がＩ２に対応するパ
ワーになるまでに時間が掛かる。
【００２８】
また、図２（ａ）では、中間バイアスパルス１１からラストパルス１２に直接移行して
いる。この場合、レーザダイオードは、出力状態のまま比較的小さな増加幅でＩ２からＩ
１にパワーアップするので、ライトストラテジをＩ２からＩ１に変化させたとしても、同
図にしめすように、レーザダイオードの出力が追従することができず、レーザ出力がＩ１
に対応するパワーになるまでに時間が掛かり、ラストパルス１５のレベルがファーストパ
ルス１３よりも低くなってしまう。このようなライトストラテジでは、レーザ出力のファ
ーストパルス１３及びラストパルス１５がライトストラテジに追従せず、所望のファース
トパルス１３及びラストパルス１５のレベルを得るにはライトストラテジのパラメータＩ
１、Ｉ２の設定が複雑である。即ち、立ち上がり及び立ち下がりの遅れ、パラメータに対
するレーザ出力パルスのレベルの再現性等を考慮して、ライトストラテジのパラメータ（
Ｉ１、Ｉ２）を決める必要があり、パラメータ設定が複雑である。
【００２９】
これに対して、上述したライトストラテジでは、ライトストラテジにレーザ出力が良好
に追従するので、ライトストラテジのパラメータＩ１、Ｉ２、Ｉ３を簡易に設定すること
ができる。
【００３０】
（３）レーザ出力波形と記録マークの形状
図３は、従来のライトストラテジの場合（ａ）と本実施形態のライトストラテジの場合
（ｂ）との両方の場合において、レーザ出力の波形と、レーザ出力で記録される光ディス
クＤ上のマークとを模式的に表したものである。
【００３１】
従来のライトストラテジによるレーザ出力は、同図（ａ）に示すように、ファーストパ
ルス１３から中間バイアスパルス１４への移行時に、レーザ出力がライトストラテジに追
従して低下せず、レーザ出力が高いままの状態が長く続いてしまう。このため、光ディス
クＤ上に記録されるマークが正常な形状よりも広がる部分（広幅部分３１）が生じる。ま
た、中間バイアスパルス１４からラストパルス１５への移行時に、レーザ出力がライトパ
ルスに追従して増加せず、レーザ出力の立ち上がりが遅くラストパルスのレベルも目標値
（ファーストパルス１３のレベル）を下回ってしまう。このため、光ディスクＤ上に記録
されるマークが正常な形状よりも細くなる部分（狭幅部分３２）が生じてしまう。このよ
うに、広幅部分３１や狭幅部分３２がマークに含まれると、マークをレーザ光で読み取る
際にジッタが生じる。
【００３２】
これに対して、本実施形態に係るライトストラテジによれば、同図（ｂ）に示すように
、レーザ出力のファーストパルス１９、中間バイアスパルス２０、ラストパルス２１がラ
イトストラテジに追従して変化し、ライトストラテジで設定したパラメータＩ１、Ｉ２、
Ｉ３に対応するレベルの出力が得られる。これにより、光ディスクＤに記録されるマーク
も正常な形状からずれることはなく、従来のように、広幅部分３１や狭幅部分３２を生じ
ず、ジッタを抑制できる。
【図面の簡単な説明】
【００３３】
【図１】本実施形態に係る光ディスク装置１の全体構成を概略的に示したものである。
【図２】従来（ａ）及び本実施形態（ｂ）の場合の、ライトストラテジと、レーザ出力波形である。
【図３】従来（ａ）及び本実施形態（ｂ）の場合の、レーザ出力波形と、レーザ出力波形で記録される光ディスクＤ上のマークとを模式的に表したものである。
【符号の説明】
【００３４】
１  光ディスク装置
２  光ピックアップ
３  スピンドルモータ
４  記録制御部
５  再生制御部
６  サーボ機構
Ｄ  光ディスク
１０  ライトストラテジのファーストパルス
１１  ライトストラテジの中間バイアスパルス
１２  ライトストラテジのラストパルス
１３  レーザダイオードのファーストパルス
１４  レーザダイオードの中間バイアスパルス
１５  レーザダイオードのラストパルス
１６  ライトストラテジのファーストパルス
１７  ライトストラテジの中間バイアスパルス
１８  ライトストラテジのラストパルス
１９  レーザダイオードのファーストパルス
２０  レーザダイオードの中間バイアスパルス
２１  レーザダイオードのラストパルス
３１  マークの広幅部
３２  マークの狭幅部
【図１】
2006134422.tif 000003
【図２】
2006134422.tif 000004
【図３】
2006134422.tif 000005